(57)【要約】【課題】湾曲部付き挿入部をトロッカに挿入したり、抜去したりしても、湾曲部の被覆部材のダメージが小さい湾曲部付き内視鏡を提供することにある。【解決手段】内視鏡１の挿入部２における湾曲部６を複数の湾曲駒４１で構成し、湾曲駒４１のうち最も手元側に配置される湾曲駒４１の外径を他の湾曲駒４１の外径よりも大きくすることで、内視鏡１の挿入部２をトロッカ３０に挿脱しても湾曲部６の被覆部材２９が損傷し難い。【選択図】      図２
2005304545.tif 000002
【特許請求の範囲】
【請求項１】
体腔内に挿入される挿入部と、挿入部の先端側に設けられた遠隔操作により湾曲可能な湾曲部とを有する内視鏡において、
上記湾曲部の手元側端部の外径が、上記手元側端部よりも先端側に配置される上記湾曲部の部分の外径よりも大きいことを特徴とする内視鏡。
【請求項２】
体腔内に挿入される挿入部と、挿入部の先端側に設けられた遠隔操作により湾曲可能な湾曲部とを有する内視鏡において、
上記湾曲部は、環状部材からなる複数の湾曲駒を備え、上記湾曲駒のうち最も手元側に配置される湾曲駒の外径がその湾曲駒の先端側に配置される他の湾曲駒の外径よりも大きいものとし、最も手元側に配置される湾曲駒に対応した上記湾曲部の部分の外径を、上記湾曲部の部分よりも先端側に位置する部分の外径よりも大きくしたことを特徴とする内視鏡。
【請求項３】
体腔内に挿入される挿入部と、挿入部の先端側に設けられた遠隔操作により湾曲可能な湾曲部とを有する内視鏡において、
上記湾曲部は、環状部材からなる複数の湾曲駒と、この湾曲駒を被覆する被覆部材とを備え、
上記湾曲駒のうち最も手元側に配置される湾曲駒に対応して配置された被覆部材の部分の厚さを、先端側に配置される他の部分の厚さよりも厚く形成し、最も手元側に配置される湾曲駒に対応した上記湾曲部の部分の外径を、上記湾曲部の部分よりも先端側に位置する部分の外径よりも大きくしたことを特徴とする内視鏡。
【発明の詳細な説明】
【技術分野】
【０００１】
本発明は、挿入部に遠隔操作により湾曲可能な湾曲部を有した内視鏡に関する。
【背景技術】
【０００２】
近年、開腹することなく腹壁に穿刺したトロッカを通じて内視鏡やその他の器具を腹腔や胸腔内に挿入し、内視鏡による観察下で手術することが多くなった。このような手術に使用される内視鏡は挿入部が硬性のものであったが、最近では、硬性挿入部の先端側に手元側からの遠隔操作により湾曲可能な湾曲部を設けた湾曲部付き硬性内視鏡が使用されるようになってきた（特許文献１参照）。
【特許文献１】特開２００１−３７７０５
【発明の開示】
【発明が解決しようとする課題】
【０００３】
腹腔や胸腔内を内視鏡による観察下で手術する際、体壁に穿刺されたトロッカに内視鏡の挿入部を挿入したり、トロッカから挿入部を抜去したりする。しかし、湾曲部付き硬性内視鏡の挿入部をトロッカから抜去するとき、湾曲部を湾曲させた状態のままでトロッカから抜去すると、トロッカの先端縁が湾曲部の被覆部材に擦れ、被覆部材を傷め、耐久性を損なう虞がある。特に、湾曲部の手元側最終湾曲駒の先端付近に位置する被覆部材にトロッカの先端縁が強く接触する。また、湾曲方向側、特に大きく湾曲させる向きの画像上側（ＵＰ側）に対応した被覆部材の部分にトロッカの先端縁が強く接触し易く、その部分の湾曲部被覆部材にダメージを受け易かった。
【０００４】
本発明は上記課題に着目してなされたもので、その目的とするところは、内視鏡をトロッカに挿入したり、抜去したりしても、湾曲部の被覆部材のダメージが小さい湾曲部付き内視鏡を提供することにある。
【課題を解決するための手段】
【０００５】
請求項１に係る発明は、体腔内に挿入される挿入部と、挿入部の先端側に設けられた遠隔操作により湾曲可能な湾曲部とを有する内視鏡において、上記湾曲部の手元側端部の外径が、上記手元側端部よりも先端側に配置される上記湾曲部の部分の外径よりも大きいことを特徴とするものである。
【０００６】
請求項２に係る発明は、体腔内に挿入される挿入部と、挿入部の先端側に設けられた遠隔操作により湾曲可能な湾曲部とを有する内視鏡において、
上記湾曲部は、環状部材からなる複数の湾曲駒を備え、上記湾曲駒のうち最も手元側に配置される湾曲駒の外径がその湾曲駒の先端側に配置される他の湾曲駒の外径よりも大きいものとし、最も手元側に配置される湾曲駒に対応した上記湾曲部の部分の外径を、上記湾曲部の部分よりも先端側に位置する部分の外径よりも大きくしたことを特徴とするものである。
【０００７】
請求項３に係る発明は、体腔内に挿入される挿入部と、挿入部の先端側に設けられた遠隔操作により湾曲可能な湾曲部とを有する内視鏡において、上記湾曲部は、環状部材からなる複数の湾曲駒と、この湾曲駒を被覆する被覆部材とを備え、上記湾曲駒のうち最も手元側に配置される湾曲駒に対応して配置された被覆部材の部分の厚さを、先端側に配置される他の部分の厚さよりも厚く形成し、最も手元側に配置される湾曲駒に対応した上記湾曲部の部分の外径を、上記湾曲部の部分よりも先端側に位置する部分の外径よりも大きくしたことを特徴とするものである。
【発明の効果】
【０００８】
本発明によれば、湾曲部を湾曲させた状態で内視鏡の挿入部をトロッカに挿入したり、抜去したりしても、湾曲部の被覆部材はダメージを受け難い。
【発明を実施するための最良の形態】
【０００９】
〔第１実施形態〕
図１、図２及び図５を参照して本発明の第１実施形態に係る内視鏡について説明する。
【００１０】
（構成）
図１は第１実施形態に係る内視鏡の外観構造を示す説明図であり、図２は内視鏡における挿入部の縦断面図であり、図５はその内視鏡の使用状態の説明図である。
【００１１】
図１に示すように、本実施形態の内視鏡１は、体腔内等に挿入される細長い挿入部２と、この長尺な挿入部２の基端側に連設された把持部を兼ねた太径の操作部３と、この操作部３から後方へ延出された可撓性を有するユニバーサルコード４とを備える。上記挿入部２は、先端側より順に配設される、対物光学系等を備えた硬性の先端部５と、湾曲可能な湾曲部６と、硬性の硬性管部７で構成されている。尚、上記硬性管部７の代わりに軟性の軟性管部とした軟性のものであってもよい。
【００１２】
上記操作部３には、上記湾曲部６を遠隔的に湾曲操作するための湾曲レバー８が設けられている。上記ユニバーサルコード４には、後述するように、照明光を伝送するライトガイドファイバ及び各種信号を伝送する信号ケーブル等が内蔵される。ユニバーサルコード４の延出終端には、外部の光源装置に接続可能なライトガイドコネクタ９が接続されている。ライトガイドコネクタ９は、その側方よりビデオケーブル１０が分岐しており、このライトガイドコネクタ９の延出終端には、図示しない制御装置あるいは信号処理装置としての例えばビデオプロセッサに対して電気的に接続可能なビデオコネクタ１１が接続されている。
【００１３】
内視鏡１における挿入部２の内部構造は図２に示すように構成されている。すなわち、挿入部２の内部には、光源装置へ供給された照明光を伝送するライトガイドファイバ１２と、撮像ユニット１３により観察像を光電変換して得た電気信号を上記ビデオプロセッサに供給する信号ケーブル１４と、上記湾曲部６を湾曲操作するための複数の湾曲操作ワイヤ１５等が配置されている。上記ライトガイドファイバ１２の先端は先端部５の本体部１６の先端面に設けられる照明レンズ１７に当接されている。また、本体部１６には照明レンズ１７の近傍に位置して上記撮像ユニット１３の最先端部の対物レンズ１８が設けられている。先端部５の本体部１６の後端側外周には先端カバー１９が嵌合して接着固定されている。
【００１４】
さらに、図２に示すように、上記先端部５の後端側に位置する湾曲部６には、複数の湾曲駒２１を有した湾曲管２２が設けられている。湾曲駒２１としては、先端側から順に第１湾曲駒２１ａ、第２湾曲駒２１ｂ、第３湾曲駒２１ｃ、第４湾曲駒２１ｄ、第５湾曲駒２１ｅ及び最終湾曲駒２１ｆがあり、それぞれ隣接する湾曲駒２１同士がリベット２３により回動自在に連結される。ここで、最終湾曲駒２１ｆの外径は、他の湾曲駒２１ａ〜２１ｅの外径よりも大きく設定されている。また、最先端に位置する第１湾曲駒２１ａは、先端部５の本体部１６に固定され、最終端に位置する最終湾曲駒２１ｆは、後述する継ぎ管３１を介して硬性の硬性管部７の先端に固定されている。
【００１５】
上記湾曲管２２の第１湾曲駒２１ａには、一端が図示しない手元側の湾曲操作部に固定された上下左右に配置された４本の湾曲操作ワイヤ１５の先端部分をそれぞれロー付けや半田付けによって固着する４つの固着部２５が上下左右の位置にそれぞれ形成されている。これらの湾曲操作ワイヤ１５をそれぞれ選択的に牽引操作することにより、上記湾曲部６を所定の向き湾曲させることができる。
【００１６】
上記湾曲管２２の湾曲駒２１ｂ，２１ｃ，２１ｄ，２１ｅ，２１ｆの内周部位には、上記各湾曲操作ワイヤ１５を挿通して湾曲操作ワイヤ１５の位置を規制するワイヤ受け２６が配置されている。各ワイヤ受け２６は、湾曲駒２１ｂ，２１ｃ，２１ｄ，２１ｅ，２１ｆの内面にロー付けや半田付けにより固着されている。
【００１７】
上記湾曲管２２の外側には、例えば、金属製の素線や樹脂製の素線を管状に編組み構成した編み管（ブレード）２７が被覆されている。この編み管２７の両端縁部は半田付けや接着等により最先端の湾曲駒２１ａと、継ぎ管３１または最後端の湾曲駒２１ｆに固着されている。編み管２７の外側には、例えば、ゴム、エラストマーからなる湾曲部被覆部材２９が被覆されている。
【００１８】
図２に示すように、上記湾曲部６の後端には、継ぎ管３１が設けられており、上記湾曲部６の基端は、その継ぎ管３１を利用して上記硬性管部７の先端部に固着されている。継ぎ管３１の内面には湾曲操作ワイヤ１５を挿通して、その湾曲操作ワイヤ１５をガイドするコイル３２の先端がロー付けや半田付けによって固着されている。
【００１９】
（作用）
次に、この内視鏡１を使用する場合の一例について説明する。まず、図５に示すように、体壁に穿刺されたトロッカ３５内を通じて内視鏡１の挿入部２を体腔内に挿入し、または抜去する。
【００２０】
一般に、湾曲動作を行った状態で内視鏡１の挿入部２をトロッカ３５から抜去しようとする場合、湾曲部６が湾曲していると、トロッカ３５の先端部３５ａに湾曲部６の湾曲部被覆部材２９が接触し易い。特に、最終湾曲駒２１ｆの先端側付近、または湾曲方向及び画像の上側（ＵＰ側）に位置する湾曲部６の湾曲部被覆部材２９の部分にトロッカ３５の先端部３５ａが接触し易い。これは、トロッカ３５内で内視鏡１の挿入部２が動き、湾曲部６が湾曲していると、その湾曲部被覆部材２９の外周面が、トロッカ３５の先端部３５ａにおける肩口に近接するためである。この結果、内視鏡１の挿入部２を挿入・抜去する際、トロッカ３５の先端部３５ａにおける肩口付近によって湾曲部被覆部材２９の外周面が擦れる。
【００２１】
しかし、本実施形態では、最終の湾曲駒２１ｆの外径が他の湾曲駒２１ａ〜２１ｅの外径よりも大きくなっているので、その最終の湾曲駒２１ｆに対応する部分の外径は他の部分よりも大きい。このため、トロッカ３５内に挿入された最終の湾曲駒２１ｆに対応する部分がトロッカ３５の内孔の中心に位置するようにガイドされ、最終の湾曲駒２１ｆに対応する部分よりも前側の湾曲部被覆部材２９が当たりにくい。つまり、最終の湾曲駒２１ｆの先端側付近に位置している湾曲部被覆部材２９の部分より前の部分がトロッカ３５の先端部３５ａに接触しにくい。
【００２２】
（効果）
本実施形態によれば、最終湾曲駒２１ｆの外径が他の湾曲駒２１ａ〜２１ｅの外径よりも大きくなっているので、最終湾曲駒２１ｆに対応した湾曲部６の部分の外径もその先端側付近に位置している部分よりも大きくなる。最終湾曲駒２１ｆに対応した湾曲部６の部分はトロッカ３５の中心に位置決めされ、最終湾曲駒２１ｆの先端側付近に位置している湾曲部被覆部材２９にトロッカ３５の先端部３５ａが接触し難いので、トロッカ３５の先端部３５ａが湾曲部被覆部材２９に接触してダメージを与えない。
【００２３】
〔第１実施形態の変形例〕
上述した第１実施形態の各種の変形例を挙げる。図３及び図４はそれぞれ異なる変形例を示す挿入部の縦断面図である。
【００２４】
図３に示す変形例では、最終の湾曲駒２１ｆを除き、他のすべての湾曲駒２１の外径を等しく形成すると共に、第４湾曲駒２１ｄから第５湾曲駒２１ｅ及び最終の湾曲駒２１ｆにわたり、それらの部分に外装されている湾曲部被覆部材２９の部分の肉厚Ａを、他の湾曲駒２１ａ，２１ｂ，２１ｃの部分に被覆されている湾曲部被覆部材２９の部分の肉厚Ｂよりも厚くしてその個所の外径を大きく形成したものである。尚、最終の湾曲駒２１ｆの外径も他の湾曲駒２１の外径と同じく形成しても良い。
【００２５】
この図３に示す変形例では、上述した第１実施形態の場合と同様、特に、トロッカ３５の先端部３５ａが接触しやすい最終湾曲駒２１ｆの先端側付近の外径が、それより先端側部分の外径より大きくなるので、上述したと同様の位置決め規制作用によって、また、湾曲被覆部材２９の肉厚Ａが肉厚Ｂよりも大きく設定されているので、トロッカ３５の先端部３５ａに接触することに対しての強度が高まり、挿入部２をトロッカ３５に挿入部２を挿脱する際の湾曲部被覆部材２９のダメージを回避することができる。
【００２６】
図４に示す変形例では、上述した第１実施形態の湾曲部６の構成において、湾曲部被覆部材２９の湾曲方向であって特に画像の上側（ＵＰ側）に位置する部分のみの肉厚Ｃが他の部分の肉厚Ｄより大きく形成した。この図４に示す変形例では、特にトロッカ３５の先端部３５ａが接触しやすい湾曲部被覆部材２９の湾曲方向及び画像の上側に位置する部分の肉厚が大きく設定されるので、上述したと同様の位置決め規制作用によって、また、湾曲方向及び画像の上側に位置する湾曲部被覆部材２９の部分が、トロッカ３５の先端部３５ａに接触することに対しての強度が高まり、湾曲部被覆部材２９がダメージを受け難い。
【００２７】
尚、図３及び図４に示した変形例において、湾曲部被覆部材２９の、他の部分よりも肉厚を大きくした部分に、例えば、金属製ブレード、金属製板、樹脂製ブレード、樹脂部材、繊維製ブレードを内封するように構成してもよい。また、湾曲部被覆部材２９の、他の部分よりも肉厚を大きくした部分の硬度を他の部分の硬度よりも高く（硬く）形成してもよい。このようにすれば、トロッカ３５の先端部３５ａが接触することに対しての強度が一層高まり、湾曲部被覆部材２９が破れにくい。
【００２８】
また、上記第１実施形態またはその変形例の構成において、湾曲部６における最終の湾曲駒２１ｆの外周面上に複数の凸部を部分的に設けてその部分の外径が他の湾曲駒２１ａ〜２１ｅの外径よりも大きくするようにしてもよい。この場合も最終の湾曲駒２１ｆに対応した湾曲部６の最終部分における外径を、他の部分の外径よりも大きいものと見ることができる。この場合の凸部を形成する方法としては、例えば、湾曲駒２１ｆの外周面上に凸状部材を固着してもよいし、湾曲駒２１ｆの部材を一部変形させて凸部を形成して形成するようにしてもよい。望ましくは、上記凸部は、湾曲駒２１ｆの外周面上に円周方向に等間隔に少なくとも３つ以上を設けるとよい。
【００２９】
また、上述した形態の湾曲管２２はいずれも各湾曲駒２１をリベット２３により連結するようにした例であるが、例えば、リベット２３を設けずに隣接する湾曲駒２１の先端部と後端部同士を当接して隣接する湾曲駒２１同士を回動自在に連接させるようにした形態のものや、少なくとも１つの細長の管状部材に複数のスリットを入れてその管状部材を湾曲できるようにした形態のものでもよい。
【００３０】
〔第２実施形態〕
図６を参照して本発明の第２実施形態に係る内視鏡について説明する。
【００３１】
（構成）
図６は、本実施形態に係る内視鏡における挿入部の縦断面図である。本実施形態では、上述した第１実施形態と同じ構成に加えて以下に述べる構成が相違する。
【００３２】
すなわち、図６に示すように、湾曲部６における湾曲管２２は、先端側から順に配置した第１湾曲駒４１ａ、第２湾曲駒４１ｂ、第３湾曲駒４１ｃ、第４湾曲駒４１ｄ、第５湾曲駒４１ｅ及び最終湾曲駒４１ｆを備え、それぞれの湾曲駒４１は、リベット２３により順次回動自在に連結されている。
【００３３】
そして、最終湾曲駒４１ｆに隣接する第５湾曲駒４１ｅの外径を、他の湾曲駒４１の外径よりも小さく設定して構成されている。ここでは、第５湾曲駒４１ｅだけでなく、それより先端側に位置する第４湾曲駒４１ｄの外径も他の湾曲駒４１の外径よりも小さく設定している。尚、中間部に位置する他の湾曲駒４１の外径も小さく設定するようにしてもよい。
【００３４】
（作用）
本実施形態の場合にも上述した第１実施形態と同様の作用が得られる。つまり、少なくとも第５湾曲駒４１ｅの外径が他の湾曲駒４１の外径より小さいので、トロッカ３５の先端部３５ａが最終湾曲駒４１ｆの先端側付近に位置している湾曲部被覆部材２９に接触しにくいので湾曲部被覆部材２９にダメージを与えにくい。また、最終湾曲駒４１ｆの外径を他の主な湾曲駒４１の外径と同じ部品に構成することができるようになる。
【００３５】
（効果）
本実施形態によれば、第１実施形態と同じ効果に加え、最終湾曲駒４１ｆの外径を他の湾曲駒４１の外径と同じにできるので、挿入部２の中間部の外径を小さくできる。
【００３６】
〔第３実施形態〕
図７乃至図９を参照して内視鏡に装着して使用する外付けシースの各種の変形例について説明する。図７乃至図９はそれぞれ異なる外付けシースを示す外観図である。
【００３７】
（構成）
本実施形態の外付けシースは、上述したような内視鏡を含む内視鏡における挿入部に被嵌して、その挿入部の湾曲部を保護しようとするものである。
【００３８】
図７に示す一例の外付けシース５０は、円筒部材からなる先端枠５１と、この先端枠５１の後端側に設けられ、上記内視鏡１の挿入部２に装着したときにその内視鏡１の湾曲部６の部分に位置する軟性の軟性部材５２と、この軟性部材５２の後端側に設けられ、管状部材からなる挿入パイプ５３と、この挿入パイプ５３の後端側に設けられる本体部５４とを含み構成される。
【００３９】
上記外付けシース５０の軟性部材５２は、例えば、樹脂製シートを複数枚重ねて形成したり、金属製ブレードを内封したシートで形成したり、樹脂製ブレードを内封したシートで形成したり、繊維製ブレードを内封したシートで形成して構成される。  
また、本体部５４には、内視鏡１の挿入部２に装着したときにその内視鏡１の操作部３と係着する溝５５が形成されている。
【００４０】
図８に示す例の外付けシース６０は、その軟性部材５２が、例えば、金属製編み状管、樹脂製編み状管または繊維製編み状管等で形成されている。他の構成は上述した図７に示す外付けシース５０のものと同様である。
【００４１】
図９に示す例の外付けシース７０は、その軟性部材５２が、例えば、略円筒形状で外周面と内周面を貫通する複数の切り欠き部７１を有する管状部材からなる。この管状部材は、例えば、樹脂製または金属製の部材からなる。他の構成は図７に示す外付けシース５０のものと同様である。複数の切り欠き部７１を設けたことにより柔軟性が増す。
【００４２】
これらの外付けシース５０，６０，７０は、内視鏡１の挿入部２に着脱自在に装着される。
【００４３】
（作用・効果）
内視鏡１を使用する場合には、外付けシース５０，６０，７０のいずれかを選んでこれに内視鏡１の挿入部２に挿入して装着する。内視鏡１の湾曲部６には外付けシース５０，６０，７０の軟性部材５２の部分が位置するので、トロッカ３５に挿入した場合、トロッカ３５の先端部３５ａが内視鏡１の湾曲部被覆部材２９の部分に直接に接触せず、その湾曲部被覆部材２９にダメージを与えることを回避できる。
【００４４】
尚、本発明は、前述した実施形態のものに限定されるものではなく、他の形態にも適用が可能である。また、前述した説明によれば、以下の事項またはそれらの事項を組み合わせた事項の発明が得られる。
【００４５】
＜付記＞  
１．体腔内に挿入される細長い挿入部と、挿入部の先端側に設けられた遠隔操作により湾曲可能な湾曲部とを有する内視鏡において、
上記湾曲部は環状部材からなる複数の湾曲駒を備え、上記湾曲駒のうち最も手元側に配置される湾曲駒の外径がその湾曲駒の先端側に配置される他の湾曲駒の外径よりも大きいことを特徴とする内視鏡。  
２．体腔内に挿入される細長い挿入部と、挿入部の先端側に設けられた遠隔操作により湾曲可能な湾曲部とを有する内視鏡において、
上記湾曲部は環状部材からなる複数の湾曲駒を備え、上記湾曲駒のうち最も手元側に配置される最終湾曲駒の先端側に配置される湾曲駒の外径が他の湾曲駒の外径よりも小さいことを特徴とする内視鏡。  
３．体腔内に挿入される細長い挿入部と、挿入部の先端側に設けられた遠隔操作により湾曲可能な湾曲部とを有する内視鏡において、
上記湾曲部は環状部材からなる複数の湾曲駒を備え、かつ、
上記湾曲駒のうち最も手元側に配置される最終湾曲駒と、
上記最終湾曲駒の先端側に配置される第２の湾曲駒と、上記第２の湾曲駒の先端側に配置される第３の湾曲駒とを有し、
上記第２の湾曲駒及び第３の湾曲駒の外径が他の湾曲駒の外径より小さいことを特徴とする内視鏡。  
４．上記挿入部の上記湾曲部以外の部分が硬性であることを特徴とする第１項、第２項または第３項に記載の内視鏡。
【００４６】
５．内視鏡の挿入部に外付けシースを外装し、外付けシースにおいて、少なくとも外付けシースの内視鏡の湾曲部に外装する部分を、樹脂製シートを複数枚重ねて形成したもの。  
６．内視鏡の挿入部に外装する外付けシースにおいて、少なくとも外付けシースの内視鏡の湾曲部に外装する部分を、樹脂シートに金属製網状管を内封することにより形成したもの。  
７．内視鏡の挿入部に外装する外付けシースにおいて、少なくとも外付けシースの内視鏡の湾曲部に外装する部分を、樹脂シートに樹脂製網状管を内封することにより形成したもの。  
８．内視鏡の挿入部に外装する外付けシースにおいて、少なくとも外付けシースの内視鏡の湾曲部に外装する部分を、樹脂シートに繊維製網状管を内封することにより形成したもの。  
９．内視鏡の挿入部に外装する外付けシースにおいて、少なくとも外付けシースの内視鏡の湾曲部に外装する部分を、金属製網状管で形成したもの。  
１０．内視鏡の挿入部に外装する外付けシースにおいて、少なくとも外付けシースの内視鏡の湾曲部に外装する部分を、樹脂製網状管で形成したもの。  
１１．内視鏡の挿入部に外装する外付けシースにおいて、少なくとも外付けシースの内視鏡の湾曲部に外装する部分を、繊維製網状管で形成したもの。  
１２．内視鏡の挿入部に外装する外付けシースにおいて、少なくとも外付けシースの内視鏡の湾曲部に外装する部分を、略円筒形状で外周面と内周面を貫通する少なくとも１つの切り欠き部を有する樹脂部材で形成したもの。
【００４７】
１３．体腔内に挿入される細長い挿入部の先端側に遠隔操作により湾曲可能な湾曲部を有した内視鏡と、
上記内視鏡に着脱自在に装着され、少なくとも上記湾曲部に外装する部分を湾曲自在な構成とした外付けシースと、
上記内視鏡の挿入部を挿脱可能なトロッカとを備え、
上記内視鏡を上記トロッカに挿入して使用するとき、上記内視鏡に上記外付けシースを装着するようにしたことを特徴とする内視鏡システム。
【図面の簡単な説明】
【００４８】
【図１】本発明の第１実施形態に係る内視鏡の外観構造を示す説明図である。
【図２】同じく本発明の第１実施形態に係る内視鏡における挿入部の縦断面図である。
【図３】上記第１実施形態の変形例に係る内視鏡における挿入部の縦断面図である。
【図４】上記第１実施形態の他の変形例に係る内視鏡における挿入部の縦断面図である。
【図５】本発明の第１実施形態に係る内視鏡の使用状態を示す説明図である。
【図６】本発明の第２実施形態に係る内視鏡における挿入部の縦断面図である。
【図７】内視鏡に使用する外付けシースを示す外観図である。
【図８】内視鏡に使用する他の外付けシースを示す外観図である。
【図９】内視鏡に使用するさらに他の外付けシースを示す外観図である。
【符号の説明】
【００４９】
１…内視鏡、２…挿入部、３…操作部、５…先端部、６…湾曲部、７…硬性管部
１５…湾曲操作ワイヤ、１６…本体部、２１…湾曲駒、２２…湾曲管、２７…編み管
２９…被覆部材、３５…トロッカ。
【図１】
2005304545.tif 000003
【図２】
2005304545.tif 000004
【図３】
2005304545.tif 000005
【図４】
2005304545.tif 000006
【図５】
2005304545.tif 000007
【図６】
2005304545.tif 000008
【図７】
2005304545.tif 000009
【図８】
2005304545.tif 000010
【図９】
2005304545.tif 000011